【事件の表示】
　特願２０１６−５３０２９０「電力制御方法、ユーザ装置及び通信システム」拒絶査定不服審判事件〔平成２７年　２月　５日国際公開、ＷＯ２０１５／０１３８６６、平成２８年　９月　８日国内公表、特表２０１６−５２７８１９〕について、次のとおり審決する。
【結　論】
　本件審判の請求は、成り立たない。
【理　由】
第１　手続の経緯 
 　本願は，２０１３年（平成２５年）７月２９日を国際出願日とする出願であって，その手続の経緯は以下のとおりである。 
  
 平成２８年６月１０日　　　　手続補正書の提出 
 平成２９年４月２５日付け　　拒絶理由通知書 
 平成２９年７月　７日　　　　意見書，及び手続補正書の提出 
 平成２９年１１月２８日付け　拒絶査定 
 平成３０年２月２６日　　　　拒絶査定不服審判の請求，及び手続補正書の提出  
第２　平成３０年２月２６日にされた手続補正についての補正の却下の決定
［補正の却下の結論の決定］
　平成３０年２月２６日にされた手続補正（以下，「本件補正」という。）を却下する。
［理由］
１　補正の概要
（１）本件補正前の特許請求の範囲の記載
　本件補正前の平成２９年７月７日にされた手続補正により補正された特許請求の範囲の請求項１は次のとおりである。
「電力制御方法であって、
　ユーザ装置が、２つ以上のコネクティビティのために電力制御パラメータをそれぞれ構成するステップと、
　前記電力制御パラメータに基づいて対応するコネクティビティにおける信号の電力を制御するステップと、を含み、
　前記電力制御パラメータは、経路損失補償係数を含む、方法。」
（２）本件補正により，特許請求の範囲の請求項１は次のとおり補正された。（下線は補正箇所を示す。）
「電力制御方法であって、
　ユーザ装置が、
ユーザ装置間のリンクを含む
リンク
　前記電力制御パラメータに基づいて対応する
リンク
送信
　
各リンクのために構成された
２　補正の適否
（１）新規事項の有無，シフト補正の有無，補正の目的要件
　上記補正は，本件補正前の請求項１に記載された発明を特定するために必要な事項である「２つ以上のコネクティビティ」を，「ユーザ装置間のリンクを含む２つ以上のリンク」に限定するとともに，「対応するコネクティビティにおける信号の電力を制御する」を，「対応するリンクにおける信号の送信電力を制御する」ことに限定し，更に「前記電力制御パラメータ」を，「各リンクのために構成された前記電力制御パラメータ」に限定する補正であるから，特許請求の範囲の減縮を目的とする補正に該当する。
　したがって，上記補正は特許法１７条の２第５項２号（補正の目的）に規定された事項を目的とするものである。また，同法１７条の２第３項（新規事項）及び同法１７条の２第４項（シフト補正）の規定に違反するところはない。
（２）独立特許要件
　上記補正は，特許請求の範囲の減縮を目的とするものであるから，本件補正後の請求項１に係る発明（以下，「本件補正発明」という。）が，特許出願の際独立して特許を受けることができるものであるのか否かについて，以下に検討する。
ア　本件補正発明
　本件補正発明は，上記第２［理由］１（２）に記載したとおりのものと認める。
イ　引用例の記載事項及び引用発明
　原査定の拒絶の理由で引用された米国特許出願公開第２０１１／０２７５３８２号明細書（以下，「引用例１」という。）には，図面とともに以下の記載がある。（下線は当審が付与。）
「[0027]
 The non-limiting examples detailed below exhibit a more comprehensive power measurement and power control approach that is particularly useful for D2D communications, t
（中略）
[0040] For ready reference to the more detailed descriptions below,  FIG.1  illustrates the general arrangement of a network access node or BS relative to the UEs which engage in D2D communications. The description below uses examples of D2D 'pairs' shown at  FIG.1  as UE 1  and UE 2 . The 'pair' terminology is for clarity of explanation and any D2D 'pair' detailed below may include more than only two UE devices engaging in D2D communications among themselves. 
The link between UE 1  and the BS is shown as  102  in  FIG.1 , and the link between UE 2  and the BS is shown there as  104 . 
FIG.1  shows the D2D link from UE 1  to UE 2  as  106 a, abbreviated below as D2D (1→2).  FIG.1  also shows the D2D link from UE 2  to UE 1  as  106 b, abbreviated below as D2D (2→1).
（中略）
[0048] In LTE Release 8/9, the UEs send sounding reference signals to the eNB which enables the eNB can accurately measure the UL channel on which it receives those SRSs. Exemplary embodiments detailed herein adapt a similar SRS procedure for use in power control for D2D communications.
（中略）
[0054] Further at FIG. 4 the CQIs for the D2D links are then accumulated at the eNB. At message 410a, UE1 sends the CQI it measured at block 407b for the D2D (UE2→UE1) link 106b to the eNB on a PUCCH. At message 410b, UE2 sends the CQI it measured at block 407a for the D2D (UE1→UE2) link 106a to the eNB on a PUCCH. Alternatively, either or both of these messages 410a, 410b may be sent on a PUSCH where the respective CQI is included with the UE's UL data.
[0055] However 
the eNB receives them, based on those two different D2D link CQls the eNB computes at block  412  a power offset for the D2D links (D2D power offset)
At messages  414 a and  414 b the eNB distributes the D2D power offset that it computed to the UEs.
At messages  414 a UE 1  transmits on the D2D (UE 1→UE 2 ) link  106 a with the power offset for that link which it received at message  414 a. Similarly at messages  414 b UE 2  transmits on the D2D (UE 2→UE 1 ) link  106 b with the power offset for that link which it received at message  414 b. 
[0056] The eNB computes the D2D transmission power offset for UL D2D transmission power control to allow maximum D2D transmission power without creating interference to UL cellular transmissions. This may allow spatial re-use of resources for simultaneous D2D and cellular communications on the UL. In an exemplary embodiment there is a new DCI format to indicate the D2D transmission power offset by PDCCH at messages 414a, 414b.
[0057] SRS-based UL power control for the device pair. In the network controlled D2D operation such as that shown by example at  FIG. 4 , it can be assumed that the eNB/network configures the measurement procedure for the D2D pair. Furthermore, the D2D devices UE 1 , UE 2  would follow certain power control algorithm and rules known and parameterized by the eNB in order to control interference from D2D communications at the eNB's own receiver as well as at neighbor cells' receivers. In accordance with an embodiment of the invention, the D2D devices UE 1 , UE 2  implement an uplink power control algorithm (which may even be a prior art procedure such as the LTE Release 8/9 power control algorithm). But in this exemplary embodiment the eNB configures an additional power offset, D2D_power_offset, to control the contribution of the certain D2D pair into the cumulative interference seen by the eNB.
[0058] As an example consider the following general definitions for power settings:  
[0059] 
power_in_cellular_mode〜P_0+PL
[0060] power_in_SRS_transmission〜P_0+PL+SRS_offset;   
[0061] 
power_in_D2D_mode〜P_0+PL+D2D_power_offset
where P_0 is the base power setting, PL is the path loss between the device UE1 or UE2 and the serving eNB
D2D_power_offset is described at FIG. 4 but as defined immediately above power_in_D2D_mode takes into account the cumulative power seen by the eNB.
（当審訳：「[0027]　
以下に示す非限定的な例では，D2D通信のために有用である，より包括的な電力測定，及び電力制御のアプローチを示している
（中略）
[0040]　以下の詳細な説明を参照するために、以下の説明を参照されたい。図1は、D2D通信に使用されるUEに対する，ネットワークアクセスノードまたはBSの一般的な構成を示す。以下の説明は、図1に示したUE1とUE2としてのD2Dペアの例を使用する。’ペア’の用語は、説明を明瞭にするためであり、以下に詳述するD2Dペアは、それら自身の間でD2D通信に係る2個以上のUEデバイスを含むことができる。
図1において，UE1とBSとの間のリンクは、102として示されており，UE2とBSとの間のリンクは、ここでは104として示されている。
図1は，106aとしてD2D (1→2)と略されるUE1からUE2へのD2Dリンクを示している。さらに図1は，106bとしてD2D (2→1)と略されるUE2からUE1へのD2Dリンクも示している。
（中略）
[0048]　LTEリリース8/9では、UEは，eNBがULチャンネルを正確に測定できるようにするための，サウンディング参照信号を送信する。本明細書で詳述された例示的な実施形態では、D2D通信のための電力制御に使用される同様なSRS手順を適合させている。
（中略）
[0054]　また、図4では、D2DリンクのCQIがeNBで蓄積される。メッセージ410aにおいて、UE1は、D2D(UE2→UE1)リンク106bのためにブロック407bで測定されたCQIをPUCCH上でeNBに送信する。メッセージ410bでは、UE2は、D2D(UE1→UE2)リンク106aのためにブロック407aで測定されたCQIをPUCCH上でeNBに送信する。あるいは、これらのメッセージ410a、410bの一方または両方について，それぞれのCQIは、UEのULデータと共にPUSCH上で送られ得る。
[0055]　しかしながら、
eNBは，それらを受信すると、それらの2種類のD2DリンクCQIに基づいて，当該D2Dリンクについての電力オフセット(D2D power offset)をブロック412で計算する。
メッセージ414a及び414bでは，eNBは、UEに対して計算されたD2D power offsetを分配する。
UE1は、メッセージ414aで受信した電力オフセットを用いてD2D (UE 1→UE 2 )リンク106a上で送信する。同様に，UE2は，メッセージ414bで受信した電力オフセットを用いてD2D (UE 2→UE 1)リンク106b上で送信する。
[0056]　eNBはUL D2D送信電力制御のためのD2D送信電力オフセットを計算し、ULセルラー送信への干渉を生成することなく最大のD2D送信電力を可能にする。これは、ULにおける同時D2Dおよびセルラー通信のためのリソースの空間再使用を可能にすることができる。例示的な実施形態では、メッセージ414a、414bのPDCCHによるD2D送信電力オフセットを示すための新しいDCIフォーマットが存在する。
[0057]　デバイスペアのSRSベースのUL電力制御。例えば、図4で図示されるようなネットワーク制御されるD2D動作においては、eNB/ネットワークは、D2Dペアのための測定手続を構成すると仮定することができる。さらに、D2DデバイスUE1、UE2は、eNB自身の受信機におけるD2D通信からだけでなく、隣接セルの受信機で干渉を制御するために、eNBによって知られ、パラメータ化された特定の電力制御アルゴリズムおよび発見的な規則に従う。本発明の一実施形態では、D2DデバイスUE1、UE2は、アップリンク電力制御アルゴリズム(LTEリリース8/9の電力制御アルゴリズムのような従来技術の手続かもしれない)を実装する。しかし、この例示的な実施形態では、eNBは、観測される累積干渉に対するD2Dペアの寄与を制御するために，追加的な電力オフセット，D2D_power_offsetを構成する。
[0058] 一例として、電力設定のための以下の一般的な定義を考える：
[0059] 
power_in_cellular_mode〜P_0+PL; 
[0060] power_in_SRS_transmission〜P_0+PL+SRS_off set;   
[0061] 
power_in_D2D_mode〜P_0+PL+D2D_power_offset;
　ここで、
P_0は、基本電力設定であり、PLは、装置UE1またはUE2とサービングeNBとの間の経路損失を示す。
D2D_power_offsetは、図4で説明されており，ただしpower_in_D2D_modeはeNBで観測される累積電力を考慮している。
（ＦＩＧ．１は省略する。））
　上記記載及び当業者の技術常識を考慮すると，引用例１には，次の技術事項が記載されている。
ａ　上記段落００２７，００５５の記載によると，ＵＥにおける電力制御方法が記載されているといえる。
ｂ　ＵＥとｅＮＢとの間のリンクは，セルラー通信を行うものであることが，当業者の技術常識であるところ，上記段落００４０，ＦＩＧ．１の記載によると，ＵＥは，該ＵＥと他のＵＥとの間でＤ２Ｄ通信を行うＤ２Ｄリンク，及び該ＵＥとｅＮＢとの間のリンクを備えているから，引用例１には，ＵＥは，Ｄ２Ｄ通信を行うＤ２Ｄリンクとセルラー通信を行うリンクとを備えることが記載されているといえる。
ｃ　上記段落００５９−００６１における，power_in_cellular_mode〜P_0+PLは，セルラー通信の送信電力設定，及び上記００６１のpower_in_D2D_mode〜P_0+PL+D2D_power_offsetは，Ｄ２Ｄ通信の送信電力設定であり，それぞれの送信電力設定に基づいて，対応する通信の送信電力を制御することが明らかである。
　また，送信電力制御を行うためには，ＵＥがP_0，PL，及びD2D_power_offset等の各パラメータを構成する必要があることは明らかであるから，上記段落００５９−００６０に記載された，Ｄ２Ｄリンクのための送信電力設定，あるいは，セルラー通信を行うリンクのための送信電力設定によって，対応する通信の送信電力の制御を行うために，ＵＥは，それぞれの送信電力設定に含まれる各パラメータを構成しているといえる。
　そして，上記ｂのとおり，ＵＥは，セルラー通信のリンクと，Ｄ２Ｄ通信のリンクとを備えていることから，引用例１には，ＵＥは，Ｄ２Ｄリンクのための送信電力設定とセルラー通信を行うリンクのための送信電力設定との，それぞれの送信電力設定に基づいて，対応するリンクにおける信号の送信電力を制御することが記載されているといえる。
　したがって，引用例１には以下の発明（以下，「引用発明」という。）が記載されているものと認める。 
「電力制御方法であって、
　ＵＥは，Ｄ２Ｄ通信を行うＤ２Ｄリンクとセルラー通信を行うリンクとを備え，
　それぞれの送信電力設定に含まれる各パラメータを構成し，
　前記それぞれの送信電力設定に含まれるパラメータに基づいて，対応するリンクにおける信号の送信電力を制御する、方法。」
ウ　周知例の記載事項及び周知技術
ａ　原査定の拒絶の理由で引用された，国際公開第２０１０／０２２７７３号（以下，「引用例３」という。）には，以下の記載がある。
「In order to improve the performance for high quality radio links 
the standard specifications for LTE telecommunication networks define a power control with a fractional pathloss compensation. This is in contrast to a full pathloss compensation, wherein the pathloss is supposed to be completely compensated by adapting the radio transmitting power such that all UEs are received by the base station with the same reception power. The fractional pathloss compensation means that close UEs are received with a slightly higher reception power than the UEs being located far away from the base station. 
　　PPUSCH=min{PMAX,10log10MPUSCH+P0_PUSCH+
α・PL
Thereby, PMAX is the maximum transmitting power of the respective UE, i.e. the UE cannot transmit with a higher power. The second expression in the curly brackets represents the target value for the UE ' s transmitting power.
 
Within the second expression in the curly brackets MPUSCH represents the number of Physical Resource Blocks (PRBs), which are assigned to the respective radio data link. The other terms of the target value represent power control values respectively for one PRB. P0_PUSCH and α are the above described power control settings, wherein P0_PUSCH represents a reference transmitting power and 
α represents the slope for a fractional pathloss compensation. PL is the pathloss, which is estimated by the respective UE from downlink (DL) measurements. 
（当審訳：「高品質の無線リンクの性能を向上させるために、
LTE通信ネットワークのための標準仕様は、「部分経路損失補償」の電力制御を定義する。これは、全てのUEが同じ受信電力で基地局によって受信されるように無線送信電力を適合させることによって損失が完全に補償される「全損失補償」とは対照的である。「部分経路損失補償」は、基地局から近いＵＥは，遠いUEよりもわずかに高い受信電力で受信することを意味する。
　　PPUSCH=min{PMAX,10log10MPUSCH+P0_PUSCH+
α・PL
これにより、PMAXは、UEの最大送信電力であり、すなわち、UEは高い電力で送信することができない。中括弧内の第２の式は、UEの送信電力の目標値を示す。
中括弧内の第２式のMPUSCHは、物理リソースブロック(PRB)の数を表し、各無線データリンクに割り当てられている。目標値の他の項は、1つの物理リソースブロックPRBに対するそれぞれの電力制御値を表している。上記電力制御設定で示されるP0_PUSCHとαは、P0_PUSCHは、基準送信電力であり、
αは「部分経路損失補償」の傾きを表す。また、PLは経路損失を表し，ダウンリンク(DL)測定結果から各UEによって推定される。
ｂ　Bilal Muhammad, Abbas Mohammed, Uplink Closed Loop Power Control for LTE System,IEEE,[online],２０１０年１１月１５日掲載,page88-93,インターネット URL:https://www.ieeexplore.ieee.org/document/45638376（以下，「引用例４」という。）には，以下の事項が記載されている。
（ａ）「
The 3GPP specifications [1] defines the setting of the UE transmit power for PUSCH by the following equation
       PPUSCH=min{Pmax,10・log10M + P0+
α・PL
where
- Pmax is the maximum allowed transmit power.
- M is the number of physical resource blocks (PRB).
- P0 is cell/UE specific parameter. It is used to control SNR target and is signaled by the radio resource control(RRC). In this paper, it is assumed that P0 is cell-specific.
- 
α is the path loss compensation factor. It is a 3-bit cell specific parameter in the range [0-1] signaled by RRC.
- 
PL is the downlink path loss estimate. It is calculated in the UE based on the reference symbol received power(RSRP)
- δmcs  is cell/UE specific modulation and coding scheme defined in the 3GPP specifications for LTE.
- f (Δi) is UE specific. Δi is a closed loop correction value and f is a function that permits to use accumulate or absolute correction value.」（８８ページ右欄２６行−８９ページ左欄３行）
（当審訳：「
3GPP仕様[1]は、PUSCHに対するUE送信電力の設定を、以下の式によって定義している。
       PPUSCH=min{Pmax,10・log10M + P0+
α・PL
　ここで、
−Pmaxは最大許容送信電力である。
−Mは、物理リソースブロック(PRB)の数である。
−P0はセル/UE固有パラメータであり，SNR目標を制御するために使用され、無線リソース制御(RRC)によってシグナリングされる。この論文では、P0はセル固有であると仮定される。
−
αは、経路損失補償係数である。RRCによって通知された範囲[0-1]内の3ビットセル固有パラメータである。
−
PLはダウンリンク経路損失推定値である。これは、基準シンボル受信電力(RSRP)に基づいて計算される。
−δmcsは、LTEの3GPP仕様で定義されているセル/UE特異的変調及び符号化方式である。
−f(Δi)はUE特有である。Δiは閉ループ補正値であり、fは累積または絶対補正値の使用を可能にする関数である。」）
（ｂ）「REFERENCES
[1] 3GPP “E-UTRA Physical layer procedures”, TS 36.213 V8.1.0」（９３ページ左欄２７−２８行）
（当審訳：「参考文献
［１］３ＧＰＰ”Ｅ−ＵＴＲＡ　物理層手続”,ＴＳ　３６．２１３ Ｖ８．１．０」）
ｃ　3GPP TS 36.213 V8.1.0(2007-11),3GPP,[online],２００７年１２月２０日掲載,インターネットURL:https://www.3gpp.org/ftp/Specs/archive/36_series/36.213/36213-810.zip（以下，「引用例５」という。）には，以下の事項が記載されている。
「5.1.1  Physical uplink shared channel
5.1.1.1  UE behaviour
The setting of the UE Transmit power P
PUSCH
 for a physical uplink shared channel (PUSCH) transmission in subframe i is defined by
 PPUSCH(i)=min{PMAX,10log10(MPUSCH(i))+Po_PUSCH(j)+
α・PL
」（８ページ１３行−１７行）
（当審訳：「５．１．１　物理上りリンク共有チャネル
５．１．１．１　ＵＥの挙動
サブフレームｉの物理アップリンク共有チャネル(PUSCH)送信に対するUEの送信電力設定P
PUSCH
は、以下のように定義される。
 PPUSCH(i)=min{PMAX,10log10(MPUSCH(i))+Po_PUSCH(j)+
α・PL
  」）
　引用例３−５のＬＴＥ仕様において，ＵＥの送信電力を求める際にα・ＰＬが用いられることは周知であり，引用例３，４によれば，αは経路損失補償係数であるから，引用例３−５の記載を総合すると，「ＵＥの送信電力制御において，ＬＴＥ仕様に規定された経路損失補償係数を用いる。」ことは，周知技術であると認められる。
エ　引用発明との対比
　本件補正発明と引用発明とを対比する。
ａ　本願補正発明の「ユーザ装置」と，引用発明の「ＵＥ」とは，表現が異なるのみであって差異はない。
ｂ　Ｄ２Ｄリンクは，「ユーザ装置間のリンク」に含まれることは明らかであるから，引用発明の「Ｄ２Ｄ通信を行うＤ２Ｄリンクとセルラー通信を行うリンク」は，本願補正発明の「ユーザ装置間のリンクを含む２つ以上のリンク」に対応する。
　そうすると，引用発明の「ＵＥは，Ｄ２Ｄ通信を行うＤ２Ｄリンクとセルラー通信を行うリンクとを備え，それぞれの送信電力設定に含まれる各パラメータを構成」することと，本願補正発明とは，「ユーザ装置が、ユーザ装置間のリンクを含む２つ以上のリンクのために電力制御パラメータをそれぞれ構成するステップ」で共通する。
ｃ　引用発明の「前記それぞれの送信電力設定に含まれるパラメータに基づいて，対応するリンクにおける信号の送信電力を制御する」ことは，本願補正発明の「前記電力制御パラメータに基づいて対応するリンクにおける信号の送信電力を制御するステップ」に相当する。
　したがって，本件補正発明と引用発明とは，両者は，以下の点で一致し，また，相違している。
［一致点］
「電力制御方法であって、
　ユーザ装置が、ユーザ装置間のリンクを含む２つ以上のリンクのために電力制御パラメータをそれぞれ構成するステップと、
　前記電力制御パラメータに基づいて対応するリンクにおける信号の送信電力を制御するステップと、を含む，方法」
［相違点］
　本願補正発明は，「各リンクのために構成された前記電力制御パラメータは、経路損失補償係数を含む」のに対して，引用発明は，「各リンクのために構成された前記電力制御パラメータは、経路損失補償係数を含む」ことについて特定していない点。
オ　判断
　上記相違点について検討する。
　上記ウのとおり，「ＵＥの送信電力制御において，ＬＴＥ仕様に規定された経路損失補償係数を用いる。」ことは，周知技術である。そうすると引用発明において，ＬＴＥ仕様に基づいて「各リンクのために構成された前記電力制御パラメータは、経路損失補償係数を含む」ことは，当業者が容易に想到できたことである。
　そして，本件補正発明が奏する効果も，当業者が引用発明から容易に予想できる範囲内のものである。
　したがって，本件補正発明は，引用例１に記載された発明，及び引用例３−５に記載された周知技術に基づき，当業者が容易に想到できたものであるから，特許法第２９条第２項の規定により，特許出願の際独立して特許を受けることができないものである。
［請求人の主張について］
　請求人は，審判請求書において，以下のとおり主張する。
　「一方、引用文献１には、送信電力オフセット（transmission power offset）のみが開示され、本発明の「経路損失補償係数」について開示や示唆がない。（中略）
　引用文献３には、無線送信リソースのためにそれぞれ構成された電力制御パラメータのみが開示され、本発明の「ユーザ装置間のリンクを含む２つ以上のリンクのために電力制御パラメータをそれぞれ構成する」及び「各リンクのために構成された前記電力制御パラメータ」について開示や示唆がない。
　従って、引用文献１の電力制御パラメータと引用文献３の電力制御パラメータとは、電力制御パラメータ自体の意味が異なり、取得方法も異なる。このため、引用文献１に引用文献３の「pathloss compensation α」を適用することは、当業者が適宜なし得ることではない。」
　しかしながら，上記相違点の検討で述べたように，ＵＥの送信電力制御において，ＬＴＥ仕様に規定された経路損失補償係数を用いることは，周知技術であるから，引用発明における送信電力制御において，前記経路損失補償係数を用いることには，格別困難なことではなく，また，阻害要因はない。
　したがって，上記請求人の主張は採用できない。
　なお，平成３１年４月１５日に提出された上申書の内容は，分割出願した場合の内容に関するものであり，本願及び本件補正発明と関係ないことについての主張であるため，採用できない。
３　本件補正についてのむすび
　よって，本件補正は，特許法１７条の２第６項において準用する同法１２６条７項の規定に違反するので，同法１５９条１項の規定において読み替えて準用する同法５３条１項の規定により却下すべきものである。
　よって，上記補正の却下の決定の結論のとおり決定する。
第３　本願発明について
１　本願発明
　平成３０年２月２６日にされた手続補正は，上記のとおり却下されたので，本願の請求項に係る発明は，平成２９年７月７日に手続補正された特許請求の範囲の請求項１ないし１２に記載された事項により特定されるものであるところ，その請求項１に係る発明（以下，「本願発明」という。）は，その請求項１に記載された事項により特定される，前記第２［理由］１（１）に記載のとおりのものと認める。
２　原査定の拒絶の理由 
　原査定の拒絶の理由は，「（進歩性）この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。」というものであり，本願の請求項１に係る発明に対して，引用例１，及び引用例３（周知技術を示す文献）が引用されている。
３　引用発明，及び周知技術
　引用発明，及び周知技術は，上記第２［理由］２（２）イ，ウの項で認定したとおりである。
４．対比・判断
　本願発明は本件補正後の発明から本件補正に係る限定を省いたものである。
　そうすると，相違点は上記第２［理由］２（２）エの相違点であるところ，本願発明の構成に本件補正に係る限定を付加した本件補正発明が，上記第２［理由］２（２）の「独立特許要件」の項で検討したとおり，引用例に記載された発明，及び周知技術に基づき，当業者が容易に想到できたものであるから，本願発明も同様の理由により，引用例に記載された発明，及び周知技術に基づき，当業者が容易に発明をすることができたものである。
第４　むすび
　以上のとおり，本願発明は，引用例に記載された発明，及び周知技術に基づき，当業者が容易に想到できたものであるから，特許法第２９条第２項の規定により，特許を受けることができない。
　したがって，本願は，他の請求項について検討するまでもなく，拒絶すべきものである。
　よって，結論のとおり審決する。